(57)【特許請求の範囲】
【請求項１】
それぞれに音色が割り当てられた複数の主操作子と、
前記複数の主操作子の近傍に配備された少なくとも１つの副操作子と、
前記複数の主操作子のいずれかが操作されたとき、その主操作子に割り当てられた音色の楽音を再生するよう指示し、前記副操作子が操作されたとき直前に操作された主操作子に対応づけられた音色の楽音を再生するよう指示する楽音再生指示手段とを備えた電子楽器。
【請求項２】
前記副操作子が、前記複数の主操作子からなる主操作子群の左右に少なくとも１つずつ配備されたものであることを特徴とする請求項１記載の電子楽器。
【請求項３】
前記楽音再生指示手段は、前記副操作子に、前記複数の主操作子のうちの直前に操作された主操作子に割り当てられた音色と同一またはバリエーションの音色の楽音を再生するよう指示するものであることを特徴とする請求項１又は２記載の電子楽器。
【発明の詳細な説明】
【０００１】
【発明の属する技術分野】
本発明は、操作された操作子に対応付けられた音色の楽音を再生する電子楽器に関する。
【０００２】
【従来の技術】
従来より、それぞれに各音色が割り当てられた複数の操作子が配列された操作パネルを備え、これら複数の操作子のうちの操作された操作子に対応付けられた音色の楽音を再生する電子楽器が知られている。
【０００３】
図１は、そのような電子楽器の一例であるリズムマシンの正面図、および、このリズムマシンに対する操作の様子を示す図である。
【０００４】
図１に示すリズムマシン１は、アコースティックのドラムセットから発音される様々な楽音を模擬した楽音を、操作パネルに備えた操作パッドを操作することで再生する。
【０００５】
このリズムマシン１の操作パネル２には、操作パッドＣＲＡＳＨ１、ＣＲＡＳＨ２、ＢＥＬＬ、ＲＩＤＥ、ＴＯＭ１、ＴＯＭ２、ＴＯＭ３、ＴＯＭ４、ＣＲＯＳＳ  ＳＴＩＣＫ、ＣＬＡＰ、ＣＯＷＢＥＬＬ、ＫＩＣＫ、ＳＮＡＲＥ、ＰＥＤＡＬ  ＨＩＨＡＴ、ＯＰＥＮ  ＨＩＨＡＴ、ＣＬＯＳＥＤ  ＨＩＨＡＴが備えられており、これら操作パッドは、操作パッド群２ａを形成している。
【０００６】
操作パッドＣＲＡＳＨ１、ＣＲＡＳＨ２が操作されると、２種類のクラッシュ音がそれぞれ発音され、操作パッドＢＥＬＬ、ＲＩＤＥが操作されると、ベル音およびライド音がそれぞれ発音される。また、操作パッドＣＲＯＳＳ  ＳＴＩＣＫ、ＣＬＡＰ、ＣＯＷＢＥＬＬ、ＫＩＣＫ、ＳＮＡＲＥが操作されると、クロススティック音、クラップ音、カウベル音、キック音、スネア音が発音され、操作パッドＴＯＭ１、ＴＯＭ２、ＴＯＭ３、ＴＯＭ４が操作されると、４種類のタム音がそれぞれ発音される。操作パッドＰＥＤＡＬ  ＨＩＨＡＴ、ＯＰＥＮ  ＨＩＨＡＴ、ＣＬＯＳＥＤ  ＨＩＨＡＴが操作されると、ペダルハイハット音、オープンハイハット音、クローズドハイハット音がそれぞれ発音される。
【０００７】
また、このリズムマシン１の操作パネル２には、音量をコントロールするための音量ツマミ２ｂ、その他の操作スイッチ群２ｃ、および音量レベルなどを表示するためのＬＣＤ（液晶）表示装置２ｄも備えられている。
【０００８】
図１には、操作パネル２に備えられている１つの操作パッド（ＳＮＡＲＥ）が、両手の指によって操作されている様子が示されている。この操作は、２本の指で操作パッドの操作面を交互に押下するものであり、これを素早く行なうことにより、その操作パッドに割り当てられている楽音を速いテンポで発音することができる。
【０００９】
【発明が解決しようとする課題】
ところが、この操作を、操作面が狭い操作パッドに行なうと、その操作のスピードがあがるにつれて、指どうしの干渉による操作パッドに対する誤操作が増える恐れがある。
【００１０】
そこで、１つ１つの操作パッドの操作面をできるだけ広くすることが考えられるが、むやみに操作パッドの操作面を広くすると、電子楽器の外寸の大型化を招いてしまう。
【００１１】
本発明は、上記事情に鑑み、大型化を抑制しながら、操作性の向上が図られた電子楽器を提供することを目的とする。
【００１２】
【課題を解決するための手段】
上記目的を達成するための本発明の電子楽器は、
それぞれに音色が割り当てられた複数の主操作子と、
上記複数の主操作子の近傍に配備された少なくとも１つの副操作子と、
上記複数の主操作子のいずれかが操作されたとき、その主操作子に割り当てられた音色の楽音を再生するよう指示し、上記副操作子が操作されたとき直前に操作された主操作子に対応づけられた音色の楽音を再生するよう指示する楽音再生指示手段とを備えたことを特徴とする。
【００１３】
本発明の電子楽器には、主操作子に対する操作の度に、操作した主操作子に対応付けられた音色に応じた音色が割り当てられる副操作子が備えられている。これにより、本発明の電子楽器では、主操作子とは分離して備えられている副操作子を、あたかも主操作子を操作している感覚で使用することができ、更に、主操作子に対する操作の度に、操作した主操作子それぞれに対応付けられた音色に応じた音色は、すべてこの副操作子に割り当てられるため、単純に各主操作子の操作面を大きくした場合と比べ、大型化を抑制することもできる。
【００１４】
ここで、上記副操作子が、上記複数の主操作子からなる主操作子群の左右に少なくとも１つずつ配備されたものであることが好ましい。
【００１５】
このようにすると、右手で主操作子を操作した場合には、左手で主操作子の左側に備えられた副操作子を操作し、左手で主操作子を操作した場合には、右手で主操作子の右側に備えられた副操作子を操作することができるため便利である。
【００１６】
さらに、上記楽音再生指示手段は、上記副操作子に、上記複数の主操作子のうちの直前に操作された主操作子に割り当てられた音色と同一またはバリエーションの音色の楽音を再生するよう指示するものであってもよい。
【００１７】
このようにすると、音色の豊かな演奏が可能となる。
【００１８】
【発明の実施の形態】
以下、本発明の実施形態について説明する。
【００１９】
図２は、本発明の電子楽器の一実施形態の正面図である。
【００２０】
図２には、本実施形態のリズムマシーン１０、および、このリズムマシーン１０を操作する様子が示されている。尚、このリズムマシン１０に備えられているもので、図１に示されているものと同じ種類のものには、図１において付されている符号と同じ符号を付している。本実施形態のリズムマシーン１０は、アコースティックのドラムセットから発音される様々な楽音を模擬した楽音を、操作子である操作パッドに対する操作に応じて再生する。
【００２１】
図２に示すリズムマシン１０と、図１に示すリズムマシン１との外観上の違いは、図２に示すリズムマシン１０には、サブパッドＳＵＢ１、ＳＵＢ２、ＳＵＢ３、ＳＵＢ４が備えられている点である。
【００２２】
図２に示す、サブパッドＳＵＢ１、ＳＵＢ３は、図１に示す操作パッド群２ａと同じ構成を有するメインパッド群２ａの左側に備えられており、サブパッドＳＵＢ２、ＳＵＢ４は、メインパッド群２ａの右側に備えられている。
【００２３】
また、図２には、メインパッドＳＮＡＲＥとサブパッドＳＵＢ１とが、両手の人差し指でそれぞれ操作されている様子が示されている。
【００２４】
図３は、本実施形態のリズムマシンの内部ブロック図である。
【００２５】
図３には、バス９０を介して接続された、前述した操作パネル２０、読み出した楽音データをもとに楽音信号を生成する楽音生成部４０、楽音生成部４０で生成された楽音信号を楽音として放音するため外部に設けられたスピーカ５０、このリズムマシン全体を制御するＣＰＵ８０、各種楽音データが格納されているＲＯＭ７０、および作業領域として使用されるＲＡＭ６０が示されている。
【００２６】
ＲＯＭ７０は、楽音生成部４０によって読み出される、各音色の楽音データや、後述する、各種参照テーブルを記憶している。
【００２７】
ＣＰＵ８０は、このリズムマシン全体を制御しており、図２にも示す操作パネル２０に備えられているメインパッドなどに対する操作を検出している。このＣＰＵ８０は、メインパッドなどに対する操作を検出すると、楽音生成部４０に対し指示を出す。
【００２８】
ＲＡＭ６０は、詳しくは後述するが、今回操作されたメインパッドに割り当てられている音色に応じた音色をサブパッドに割り当てるために使用される。
【００２９】
楽音生成部４０は、ＣＰＵ８０からの指示を受け、ＲＯＭ７０から所定の楽音データを読み出し、この読み出した楽音データを基に楽音信号を生成してスピーカ５０に出力する。
【００３０】
図４は、本実施形態のリズムマシンの動作のフローチャートであり、図５は、図３に示すＲＯＭに格納されている参照テーブルを示す図である。
【００３１】
以下、図４および図５を説明しながら、本実施形態のリズムマシン１０の動作の詳細について述べる、
まず、リズムマシン１０では、図示しないリズムマシン１０の電源スイッチがオンされ、メインパッドあるいはサブパッドの何れかに対する操作が検出されると、ステップＳ１において、操作パネル２０に対する操作が、サブパッドに対するものであるか否かが判定される。
【００３２】
ステップＳ１において、リズムマシン１０に対する操作がメインパッドに対するものであったと判定された場合、ステップＳ２に進む。
【００３３】
ステップＳ２では、操作されたメインパッドの識別番号であるＭａｉｎ  Ｐａｄ番号をアドレスの引数とし、対応するアドレスに格納されている音色番号を取得する。その後、ステップＳ３に進む。
【００３４】
ここで、図５（ａ）は、Ｍａｉｎ  Ｐａｄ番号と音色番号とを示すＭａｉｎ  Ｐａｄ音色マップテーブルである。
【００３５】
図５（ａ）には、Ｍａｉｎ  Ｐａｄ番号を引数とするアドレスに音色番号が割り当てられている様子が示されている。例えば、Ｍａｉｎ  Ｐａｄ番号が「０１」であるメインパッドを操作した場合、このＭａｉｎ  Ｐａｄ番号「０１」を引数として音色番号「００９」を取得することとなる。
【００３６】
ステップＳ３では、ステップＳ２で得られた音色番号を引数としたアドレスに格納されているＳｕｂ  Ｐａｄ音色マップアドレスを取得する。その後、ステップＳ４に進む。
【００３７】
ここで、図５（ｂ）は、ステップＳ２で取得された音色番号と、Ｓｕｂ  Ｐａｄ音色マップアドレスとを示すＳｕｂ  Ｐａｄ音色マップアドレスマップテーブルである。
【００３８】
図５（ｂ）には、ステップＳ２で得られた音色番号を引数とするアドレスにＳｕｂ  Ｐａｄ音色マップアドレスが対応付けられている様子が示されている。例えば、ステップＳ２で取得した音色番号が「００９」である場合、この音色番号「００９」を引数とするアドレスから、Ｓｕｂ  Ｐａｄ音色マップアドレス「ｓｐｍ００２」を取得することとなる。
【００３９】
ステップＳ４では、ステップＳ３において取得したＳｕｂ  Ｐａｄ音色マップアドレスが、図３に示すＲＡＭ６０に設けられているＳｕｂ  Ｐａｄ音色指示メモリ領域に格納される。その後、ステップＳ７に進む。
【００４０】
ステップＳ７では、操作したメインパッドのＭａｉｎ  Ｐａｄ番号を引数としてステップＳ２で取得した音色番号を基に読み出された楽音データが表わす楽音の発音が行なわれる。
【００４１】
ここで、ステップＳ１において、サブパッドに対する操作であると判定された場合に話を戻して説明する。
【００４２】
この場合には、ステップＳ５に進み、このサブパッドに対する操作以前であって、最後に操作されたメインパッドに対応付けられた音色に応じて、このサブパッドに割り当てられた音色の音色番号を取得するために、前述した、図３に示すＲＡＭ６０に設けられているＳｕｂ  Ｐａｄ音色指示メモリ領域からＳｕｂ  Ｐａｄ音色マップアドレスを取得する。その後、ステップＳ６に進む。
【００４３】
ステップＳ６では、ステップＳ５で得られたＳｕｂ  Ｐａｄ音色マップアドレストと、操作されたサブパッドのＳｕｂ  Ｐａｄ番号とから、このサブパッドに割り当てられた音色番号を取得する。
【００４４】
ここで、図５（ｃ）は、Ｓｕｂ  Ｐａｄ音色マップアドレス、Ｓｕｂ  Ｐａｄ番号、および音色番号を示すＳｕｂ  Ｐａｄ音色マップテーブルである。
【００４５】
図５（ｃ）に示すＳｕｂ  Ｐａｄ音色マップテーブルでは、Ｓｕｂ  Ｐａｄ番号が「０」、「１」、「２」、「３」の４つで示されているように、４つのサブパッドに音色番号が割り当てられており、Ｓｕｂ  Ｐａｄ番号「０」、「１」、「２」、「３」それぞれが、図２に示すサブパッドＳＵＢ１、ＳＵＢ２、ＳＵＢ３、ＳＵＢ４に対応している。
【００４６】
図５（ｃ）には、Ｓｕｂ  Ｐａｄ音色マップアドレスとＳｕｂ  Ｐａｄ番号との組み合わせを引数とするアドレスに、音色番号が対応付けられている様子が示されている。したがって、例えば、Ｓｕｂ  Ｐａｄ音色マップアドレス「ｓｐｍ００２」がＳｕｂ  Ｐａｄ音色指示メモリ領域に格納されているときに、サブパッドＳＵＢ１（Ｓｕｂ  Ｐａｄ番号「０」）を操作した場合には音色番号「０１０」、サブパッドＳＵＢ２（Ｓｕｂ  Ｐａｄ番号「１」）を操作した場合には音色番号「０１２」、サブパッドＳＵＢ３（Ｓｕｂ  Ｐａｄ番号「２」）を操作した場合には音色番号「０１１」、サブパッドＳＵＢ４（Ｓｕｂ  Ｐａｄ番号「３」）を操作した場合には音色番号「０１４」を取得することとなる。その後、ステップＳ７に進み、ステップＳ６において取得した音色番号を基に読み出された楽音データが表わす楽音の発音が行なわれ、このルーチンは終了する。尚、図５（ａ）から図５（ｃ）までに示す各テーブルは、本実施形態では、図３に示すＲＯＭ７０に記憶されているが、これら各種テーブルがＲＡＭ６０に記憶され、ユーザによる書き換え可能であってもよい。
【００４７】
以上説明した本実施形態のリズムマシン１０では、メインパッドのいずれかを操作した場合には、操作したメインパッドに対応付けられた音色の楽音が発音されると共に、操作されたメインパッドに対応付けられた音色のバリエーション音色がメインパッド群の左右に配備されたサブパッドＳＵＢ１、ＳＵＢ２、ＳＵＢ３、ＳＵＢ４に割り当てられる。
【００４８】
また、メインパッドを操作せずに、サブパッドＳＵＢ１、ＳＵＢ２、ＳＵＢ３、ＳＵＢ４のいずれかを操作した場合には、最後に操作されたメインパッドに対応付けられた音色のバリエーション音色の楽音のいずれかが発音される。したがって、本実施形態のリズムマシン１０によれば、操作パネルを大型化することなく、操作性の向上を図ることができるとともに、メインパッドを操作しつつサブパッドを操作することで、操作されたメインパッドに対応付けられた音色の楽音と、操作されたメインパッドに対応付けられた音色のバリエーション音色の楽音とを再生し、操作されたメインパッドに対応付けられた音色の楽音に幅をもたせることができる。
【００４９】
ここで、これらサブパッドＳＵＢ１、ＳＵＢ２、ＳＵＢ３、ＳＵＢ４に割り当てられるバリエーション音色が、固定的なものではなく、限られた音色グループ内からランダムに割り当てられるものであってもよい。
【００５０】
尚、本実施形態では、メインパッド群の左側右側それぞれに２つずつサブパッドが配備され、これら４つのサブパッドには最後に操作されたメインパッドに対応付けられた音色のバリエーション音色が割り当てられているが、これに限らず、最後に操作されたメインパッドに対応付けられた音色のバリエーション音色、あるいは、最後に操作されたメインパッドに対応付けられた音色と同じ音色が、左側右側それぞれに１つずつ配備されたサブパッドに割り当てられるものであってもよく、また、最後に操作されたメインパッドに対応付けられた音色と同じ音色、あるいは、最後に操作されたメインパッドに対応付けられた音色のバリエーション音色が操作パネル上のいずれかにただ１つ配備されるサブパッドに割り当てられるものであってもよい。さらには、これら４つのサブパッドに割り当てられる音色が、すべて、最後に操作されたメインパッドに対応付けられた音色と同じ音色であってもよい。
【００５１】
また、本実施形態では、アコースティックのドラムセットから発音される様々な楽音を模擬した楽音を、操作パッドに対する操作に応じて再生するものを例に挙げて説明したが、これに限らず、ドラムセット以外のものを模擬するものであってもよく、操作子としてパッドを例に挙げているが、通常の操作ボタンやＬＣＤ上のスクリーンスイッチ、あるいは鍵盤を操作子として採用するものであってもよい。
【００５２】
ここで、本実施形態のリズムマシン１０に以下のような機能を持たせることが考えられる。
【００５３】
メインパッドを押した時に、サブパッドには音色ではなく特殊な機能（例えば、メインパッドに対する操作により発音されている楽音を停止させるミュート機能など）を割り当てる。
【００５４】
【発明の効果】
以上説明したように、本発明の電子楽器によれば、大型化を抑制しながら、操作性の向上を図ることができる。
【図面の簡単な説明】
【図１】電子楽器の一例であるリズムマシンの正面図、および、このリズムマシンに対する操作の様子を示す図である。
【図２】本発明の電子楽器の一実施形態の正面図である。
【図３】本実施形態のリズムマシンの内部ブロック図である。
【図４】本実施形態のリズムマシンの動作のフローチャート。
【図５】図３に示すＲＯＭに格納されている参照テーブルを示す図である。
【符号の説明】
１、１０  リズムマシン
２、２０  操作パネル
４０  楽音生成部
５０  スピーカ
６０  ＲＡＭ
７０  ＲＯＭ
８０  ＣＰＵ
９０  バス
【図１】
0003863015.tif 000002
【図２】
0003863015.tif 000003
【図３】
0003863015.tif 000004
【図４】
0003863015.tif 000005
【図５】
0003863015.tif 000006